(57)【要約】【課題】課題は、品物を当該品物の紐状体を安定させた状態で収容できる包装箱、及び包装物を提供することである。【解決手段】包装物は、包装箱１０と、包装箱１０に収容される品物１００と、を備える。包装箱１０は、品物１００を収容する包装箱である。包装箱１０は、所定部位４０を備える。所定部位４０は、品物１００が備える紐状体１２０を通す挿通部４１を有する。【選択図】  図２
2019043625.tif 000002
【特許請求の範囲】
【請求項１】
品物を収容する包装箱であって、
前記品物が備える紐状体を通す挿通部を有する所定部位を備える、
包装箱。
【請求項２】
前記所定部位は、その一面に、所定の表記のための領域を有している、
請求項１の包装箱。
【請求項３】
前記所定の表記は、印刷により前記領域に設けられている、
請求項２の包装箱。
【請求項４】
一面に開口を有し、内部に前記品物を収容する箱状の本体部と、
前記本体部の開口を塞ぐ蓋部と、
を備え、
前記所定部位は、前記蓋部にある、
請求項１〜３のいずれか一つの包装箱。
【請求項５】
前記蓋部は、第１の蓋と、前記第１の蓋を隠すように前記開口を塞ぐ第２の蓋と、を有し、
前記所定部位は、前記第１の蓋にある、
請求項４の包装箱。
【請求項６】
前記挿通部は、前記所定部位の一辺から延びるスリットを含む、
請求項１〜５のいずれか一つの包装箱。
【請求項７】
前記スリットは、前記所定部位の前記一辺に近付くにつれて幅が大きくなる部分を有する、
請求項６の包装箱。
【請求項８】
前記挿通部は、前記所定部位を貫通し前記紐状体を通す通し孔を有し、
前記スリットは、前記所定部位の前記一辺から前記通し孔まで延びている、
請求項６又は７の包装箱。
【請求項９】
前記通し孔は、前記紐状体の先端部を通す大きさである、
請求項８の包装箱。
【請求項１０】
前記通し孔は、前記紐状体の先端部を通さない大きさである、
請求項８の包装箱。
【請求項１１】
前記挿通部は、前記所定部位を貫通し前記紐状体を通す通し孔を有し、
前記通し孔は、前記紐状体の先端部を通す大きさである、
請求項１〜５のいずれか一つの包装箱。
【請求項１２】
前記所定部位と前記所定部位に隣接する部位との境界を示す表示部を有する、
請求項１〜１１のいずれか一つの包装箱。
【請求項１３】
前記表示部は、前記境界に沿って並ぶ複数の点線状の孔を含む、
請求項１２の包装箱。
【請求項１４】
前記複数の点線状の孔は、１以上の第１の孔と、前記１以上の第１の孔の次に並ぶ、前記１以上の第１の孔よりも長い１以上の第２の孔と、を含む、
請求項１３の包装箱。
【請求項１５】
請求項１〜１４のいずれか一つの包装箱と、
前記包装箱に収容される前記品物と、
を備える、
包装物。
【発明の詳細な説明】
【技術分野】
【０００１】
本開示は、一般に、包装箱及び包装物に関し、特に、紐状体を備える品物の収容に適した包装箱、及び、当該品物を当該包装箱に収容した包装物に関する。
【背景技術】
【０００２】
特許文献１は、商品梱包容器を開示する。この商品梱包容器は、箱状の容器本体と蓋フラップとを有している。容器本体は、周囲が４つの囲壁によって囲まれ、少なくとも上面が開放されていて、内部に商品を収納する収納空間を備えている。蓋フラップは、容器本体のいずれか１つの囲壁（第１囲壁）の上端縁から折り曲げ可能に延設され、容器本体の開口部を覆い隠す。
【先行技術文献】
【特許文献】
【０００３】
【特許文献１】特開２００８−２７３６０８号公報
【発明の概要】
【発明が解決しようとする課題】
【０００４】
商品梱包容器（包装箱）に収容される商品（品物）は、引き紐やケーブル等の紐状体を備えている場合がある。特許文献１の商品梱包容器は、単に、品物を収容する収納空間を備えているだけであるから、紐状体が不安定な状態で品物が商品梱包容器に収容される。そのため、搬送時に紐状体が移動して、想定外の場所に位置する場合がある。
【０００５】
本開示の課題は、品物を当該品物の紐状体を安定させた状態で収容できる包装箱、及び包装物を提供することである。
【課題を解決するための手段】
【０００６】
本開示の一態様の包装箱は、品物を収容する包装箱であって、前記品物が備える紐状体を通す挿通部を有する所定部位を備える。
【０００７】
本開示の一態様の包装物は、上記態様の包装箱と、前記包装箱に収容される前記品物と、を備える。
【発明の効果】
【０００８】
本開示の態様によれば、品物を当該品物の紐状体を安定させた状態で収容できるという効果を奏する。
【図面の簡単な説明】
【０００９】
【図１】図１は、一実施形態の包装箱の斜視図である。
【図２】図２は、上記包装箱に品物を収容した包装物の斜視図であり、包装箱の外蓋が開いた状態を示す。
【図３】図３は、上記包装物の斜視図であり、包装箱の外蓋が閉じた状態を示す。
【図４】図４は、上記包装箱の所定部位を含む部分の説明図である。
【図５】図５は、上記包装箱の所定部位を切り離した状態を示す説明図である。
【図６】図６は、上記実施形態の第１変形例の包装箱の所定部位を含む部分の説明図である。
【図７】図７は、上記実施形態の第２変形例の包装箱の所定部位を含む部分の説明図である。
【図８】図８は、上記実施形態の第３変形例の包装箱の所定部位を含む部分の説明図である。
【図９】図９は、上記実施形態の第４変形例の包装箱の斜視図である。
【図１０】図１０は、上記実施形態の第５変形例の包装箱の斜視図である。
【発明を実施するための形態】
【００１０】
１．実施形態
１．１  概要
図１は、本実施形態の包装箱１０を示す。包装箱１０は、図２及び図３に示すように、品物１００を収容する包装箱である。包装箱１０は、図１に示すように、所定部位４０を備える。所定部位４０は、図２に示すように、品物１００が備える紐状体１２０を通す挿通部４１を有する。
【００１１】
包装箱１０には、品物１００を図２に示すように、収容することができる。この際、品物１００の紐状体１２０を所定部位４０の挿通部４１に通すことによって、紐状体１２０が包装箱１０の所定部位４０によって保持される。そのため、包装箱１０によれば、品物１００を当該品物１００の紐状体１２０を安定させた状態で収容できる。
【００１２】
１．２  構成
以下、包装箱１０について図面を参照して更に詳細に説明する。
【００１３】
まず、包装箱１０に収容される品物１００について簡単に説明する。本実施形態において、品物１００は、住宅用火災警報器である。品物１００は、図２に示すように、本体１１０と、本体１１０から延設された紐状体１２０と、を備えている。本体１１０は、火災警報器として必要な回路部品を円盤状のケースに収容して構成されている。紐状体１２０は、引き紐である。紐状体１２０は、本体１１０の警報音を停止させるために用いられる。つまり、紐状体１２０が引かれると、本体１１０は、警報音を停止させるようになっている。紐状体１２０は、紐１２１と、紐１２１の先端に取り付けられた摘み１２２と、を備えている。
【００１４】
包装箱１０は、図１に示すように、本体部２０と、蓋部３０と、を備えている。包装箱１０は、一面が所定の図柄等が印刷された印刷面であるシートを用いて形成されている。所定形状のシート材から箱を形成する技術は種々提供されているから、ここでは詳細には説明しない。なお、図１では、印刷面をドットで表している。本実施形態では、本体部２０と蓋部３０とは一体に形成されている。包装箱１０の材料は、一例としては紙であるが、プラスチックやその他の材料であってもよい。また、包装箱１０に用いるシートの厚みは、シートが形状保持性を有する範囲で設定される。
【００１５】
本体部２０は、一面（図１の上面）に開口２１を有し、内部に品物１００を収容する箱状に形成されている。より詳細には、本体部２０は、底部２２と、４つの側壁部２３〜２６と、を有している。底部２２は、矩形（長方形又は正方形）の板状である。４つの側壁部２３〜２６は、底部２２の４辺それぞれに設けられ、品物１００を収容する空間を形成する。特に、側壁部２３，２５は互いに対向し、側壁部２４，２６は互いに対向する。そして、側壁部２４は、側壁部２３，２５の互いに対向する一端部同士を連結し、側壁部２６は、側壁部２３，２５の互いに対向する他端部同士を連結する。本体部２０では、一面（図１の上面）の全体が開口２１となっている。
【００１６】
蓋部３０は、本体部２０の開口を塞ぐための部材である。蓋部３０は、図１に示すように、第１の蓋３１、第２の蓋３２、及び第３の蓋３３で構成されている。
【００１７】
蓋部３０において、第１の蓋３１及び第３の蓋３３は、内蓋（フラップ）であり、第２の蓋３２は、外蓋である。つまり、第２の蓋３２は、第１の蓋３１及び第３の蓋３３を隠すように開口２１を塞ぐ。
【００１８】
第１の蓋３１は、矩形の板状である。第１の蓋３１は、側壁部２３の一端（図１の上端、底部２２とは反対側の端）に設けられている。第１の蓋３１は、第１の蓋３１が開口２１と重なる位置（閉位置）と第１の蓋３１が開口２１と重ならない位置（開位置）との間で回動可能である。特に、第１の蓋３１は、包装箱１０の材質によって、第１の蓋３１と側壁部２３との境界に沿った回転軸の回りに回動可能である。以下では、第１の蓋３１をその開位置からその閉位置に移動させることを第１の蓋３１を閉じるといい、第１の蓋３１をその閉位置からその開位置に移動させることを第１の蓋３１を開けるという。
【００１９】
第３の蓋３３は、矩形の板状である。第３の蓋３３は、側壁部２５の一端（図１の上端、底部２２とは反対側の端）に設けられている。第３の蓋３３は、第３の蓋３３が開口２１と重なる位置（閉位置）と第３の蓋３３が開口２１と重ならない位置（開位置）との間で回動可能である。特に、第３の蓋３３は、包装箱１０の材質によって、第３の蓋３３と側壁部２５との境界に沿った回転軸の回りに回動可能である。以下では、第３の蓋３３をその開位置からその閉位置に移動させることを第３の蓋３３を閉じるといい、第３の蓋３３をその閉位置からその開位置に移動させることを第３の蓋３３を開けるという。
【００２０】
また、第１の蓋３１及び第３の蓋３３は、いずれも開口２１の全体を覆わないような大きさであり、第３の蓋３３は、第１の蓋３１よりも小さい。特に、本実施形態では、第１の蓋３１及び第３の蓋３３をそれぞれ閉じた場合に、第１の蓋３１と第３の蓋３３とが互いに干渉しないようにそれぞれの大きさが決定されている。
【００２１】
第２の蓋３２は、主片３２１と、側片３２２と、を有している。主片３２１は開口２１を覆う大きさの矩形の板状である。主片３２１は、側壁部２４の一端（図１の上端、底部２２とは反対側の端）に設けられている。側片３２２は、主片３２１における側壁部２４とは反対側の端から延設されている。側片３２２は、その長手方向の両側に切り込み３２２１を有している。側片３２２は、第２の蓋３２が開口２１を閉じた状態を維持するために用いられる。第２の蓋３２は、主片３２１が開口２１と重なる位置（閉位置）と主片３２１が開口２１と重ならない位置（開位置）との間で回動可能である。特に、第２の蓋３２は、包装箱１０の材質によって、主片３２１と側壁部２４との境界に沿った回転軸の回りに回動可能である。以下では、第２の蓋３２をその開位置からその閉位置に移動させることを第２の蓋３２を閉じるといい、第２の蓋３２をその閉位置からその開位置に移動させることを第２の蓋３２を開けるという。なお、第２の蓋３２を閉じた際に、側片３２２を開口２１内に差し入れることで、側片３２２の両側の切り込み３２２１に第１の蓋３１及び第３の蓋３３の一部が嵌る。これによって、第２の蓋３２がその閉位置に保たれる。
【００２２】
本実施形態において、所定部位４０は、図４に示すように、蓋部３０にある。そのため、所定部位４０を開口２１の近くに配置できる。より詳細には、所定部位４０は、蓋部３０の第１の蓋３１に設けられている。そのため、所定部位４０を外から見えない場所に配置できる。第１の蓋３１の先端部分（側壁部２３とは反対側の部分）が所定部位４０となっている。所定部位４０は、長方形状の部分である。所定部位４０の短手方向（幅方向）は、第１の蓋３１が側壁部２３から突出する方向と一致している。換言すれば、側壁部２３の長手方向と所定部位４０の長手方向とは一致している。
【００２３】
所定部位４０は、上述したように、挿通部４１を有している。挿通部４１は、図４に示すように、スリット４１１と、通し孔４１２とを有する。
【００２４】
スリット４１１は、所定部位４０の一辺４０１から（直線状に）延びている。所定部位４０の一辺４０１は、第１の蓋３１の先端側の辺である。ここで、スリット４１１は、所定部位４０の一辺４０１から通し孔４１２まで延びている。本実施形態では、スリット４１１は、直線状であるが、その形状は特に限定されず、曲線状や折線状であってもよい。
【００２５】
スリット４１１は、導入部分４１１１と、通路部分４１１２とを有する。導入部分４１１１は、所定部位４０の一辺４０１に近付くにつれて幅が大きくなる部分である。所定部位４０における導入部分４１１１の両側部分は紐状体１２０をスリット４１１に誘導するガイドとして機能する。通路部分４１１２は、導入部分４１１１と通し孔４１２とを連結する部分である。通路部分４１１２の幅は、導入部分４１１１の幅の最小値と等しく、一定である。また、通路部分４１１２の幅は、紐状体１２０の紐１２１の直径より小さい。つまり、スリット４１１の通路部分４１１２では、紐状体１２０の紐１２１が通路部分４１１２の両側の部分の間に挟まれる。
【００２６】
通し孔４１２は、所定部位４０を貫通する孔である。また、通し孔４１２は、紐状体１２０を通す大きさである。特に、通し孔４１２は、紐状体１２０の紐１２１を通す大きさである。ただし、通し孔４１２は、紐状体１２０の先端部（摘み１２２）を通さない大きさである。そのため、所定部位４０の紐状体１２０からの意図しない脱落を抑制できる。本実施形態では、通し孔４１２は、円形の孔であるが、その形状は特に限定されず、楕円形又は多角形の孔であってもよい。このような通し孔４１２は、図４に示すように、所定部位４０の長手方向の一端に位置している。
【００２７】
上述したように、スリット４１１は、所定部位４０の一辺４０１から通し孔４１２まで延びている。そのため、スリット４１１を利用して、紐状体１２０を挿通部４１（通し孔４１２）に通すことができる。つまり、紐状体１２０の紐１２１をスリット４１１の導入部分４１１１から通路部分４１１２を通して通し孔４１２に移動させることで、紐状体１２０を挿通部４１に通すことができる。このように、紐状体１２０を挿通部４１に通す作業が容易になる。また、紐状体１２０をスリット４１１ではなく通し孔４１２に位置させることで、紐状体１２０との接触に起因する所定部位４０の破損を抑制できる。更に、導入部分４１１１は、所定部位４０の一辺４０１に近付くにつれて幅が大きくなるから、紐状体１２０の紐１２１を通路部分４１１２に通す作業が容易になる。これにより、紐状体１２０を挿通部４１に通す作業が更に容易になる。
【００２８】
また、所定部位４０は、その一面（第１の蓋３１が閉位置にある場合において、開口２１とは反対側となる面）に、所定の表記のための領域４２を有している。所定の表記は、例えば、品物１００の説明（使用方法及び注意事項）に関するメッセージを含み得る。本実施形態では、所定部位４０の挿通部４１には、警報音を停止させるための紐状体１２０が通される。そのため、所定の表記は「警報音を止めるためのひもです」というメッセージを含み得る。また、紐状体１２０の紐１２１が結ばれた状態で品物１００が包装箱１０に収容される場合、所定の表記は「結び目をほどいてお使いください。」というメッセージを含み得る。このように、所定部位４０を何らかの情報を伝える用途にも使用できる。また、このような所定の表記は、印刷により領域４２に設けられている。したがって、所定の表記を容易に設けることができる。一例としては、所定の表記は、包装箱１０の材料となるシートの一面に印刷をする際に、一緒に形成することができる。
【００２９】
包装箱１０は、図４に示すように、所定部位４０と所定部位４０に隣接する部位（第１の蓋３１の所定部位４０を除く部分３１０）との境界を示す表示部５０を有する。表示部５０は、所定部位４０を包装箱１０から切り離す際の切断場所を示している。このような表示部５０により、所定部位４０を包装箱１０から切り離す際の切断場所が分かりやすくなる。なお、表示部５０は、「キリトリ線」を意味する表記を含んでいてもよく、これにより、所定部位４０の包装箱１０からの分離を促してもよい。本実施形態では、境界は、直線状であるが、その形状は特に限定されず、曲線状や折線状であってもよい。
【００３０】
本実施形態では、表示部５０は、この境界に沿って並ぶ複数の点線状の孔５１，５２を含む。複数の点線状の孔５１，５２は、複数の第１の孔５１と、複数の第２の孔５２とを含んでいる。複数の第２の孔５２は、複数の第１の孔５１の次に並んでいる。また、各第２の孔５２は、各第１の孔５１よりも長い。複数の点線状の孔５１，５２は、いわゆるミシン目を構成している。つまり、複数の点線状の孔５１，５２によれば、所定部位４０を包装箱１０から切り離す作業が容易に行えるようになる。特に、各第２の孔５２が各第１の孔５１よりも長くなっていることから、所定部位４０を包装箱１０から切り離す作業が更に容易に行えるようになる。
【００３１】
このように、所定部位４０は、包装箱１０から切り離すことができる。例えば、所定部位４０は、品物１００を包装箱１０から取り出す際に、包装箱１０から切り離してもよい。このようにすれば、所定部位４０を品物１００とともに使用できる。この場合、所定部位４０を、いわゆる注意札としても用いることができる。
【００３２】
１．３  梱包作業
以下、包装箱１０に品物１００を梱包する作業について簡単に説明する。まず、図１に示すように、包装箱１０を、蓋部３０（第１の蓋３１、第２の蓋３２、及び第３の蓋３３）が開いた状態とする。次に、図２に示すように、品物１００を包装箱１０の本体部２０に収容する。次に、包装箱１０の蓋部３０の内蓋（第１の蓋３１及び第３の蓋３３）を閉じつつ、紐状体１２０を第１の蓋３１に設けられた所定部位４０の挿通部４１に通す。紐状体１２０を挿通部４１に通す作業は、紐状体１２０の紐１２１をスリット４１１の導入部分４１１１から通路部分４１１２を通して通し孔４１２に移動させることで行えばよい。この後に、包装箱１０の蓋部３０の外蓋（第２の蓋３２）を閉じる。これによって、図３に示すように、包装箱１０に品物１００が収容された包装物が得られる。
【００３３】
１．４  開封作業
以下、図３のように、包装箱１０に品物１００が収容された包装物から品物１００を取り出す作業について簡単に説明する。まず、図２に示すように、包装箱１０の蓋部３０の外蓋（第２の蓋３２）を開く。次に、図５に示すように、表示部５０に沿って所定部位４０を包装箱１０から切り離す。そして、包装箱１０の蓋部３０の内蓋（第１の蓋３１（３１０）及び第３の蓋３３）を開き、品物１００を包装箱１０の本体部２０の内部から取り出す。これによって、注意札となる所定部位４０が紐状体１２０に付いたままで品物１００を包装箱１０から取り出すことができる。
【００３４】
２．変形例
以上説明した上記実施形態は、本開示の様々な実施形態の一つに過ぎない。また、上記実施形態は、本開示の目的を達成できれば、設計等に応じて種々の変更が可能である。以下に、上記実施形態の変形例を列挙する。
【００３５】
２．１  第１変形例
図６は、第１変形例の包装箱１０Ａを示し、特に、包装箱１０Ａの所定部位４０Ａを含む部分を示す。第１変形例の所定部位４０Ａは、上記実施形態と同様に、第１の蓋３１の先端部分（側壁部２３とは反対側の部分）である。所定部位４０Ａは、複数（図６では２つ）の挿通部４１を有している。挿通部４１は、所定部位４０Ａの長手方向の両端部にそれぞれ設けられている。各挿通部４１は、上記実施形態と同様に、スリット４１１及び通し孔４１２を有している。つまり、所定部位４０Ａに関して、挿通部４１の数は特に限定されない。例えば、品物が複数の紐状体を有している場合には、複数の挿通部４１があってよい。また、１つの紐状体を複数の挿通部４１に通すようにしてもよい。
【００３６】
２．２  第２変形例
図７は、第２変形例の包装箱１０Ｂを示し、特に、包装箱１０Ｂの所定部位４０Ｂを含む部分を示す。第２変形例の所定部位４０Ｂは、上記実施形態と同様に、第１の蓋３１の先端部分（側壁部２３とは反対側の部分）である。所定部位４０Ｂは、長方形状であり、その長手方向の一端に、挿通部４１Ｂを有している。挿通部４１Ｂは、通し孔４１２を有するが、スリット４１１を有していない。この挿通部４１Ｂは、紐状体１２０の先端部１２２を通す大きさである。第２変形例では、紐状体１２０をその先端部１２２から挿通部４１Ｂに通すことになる。要するに、挿通部４１Ｂは、必ずしもスリット４１１を有している必要はなく、単に所定部位４０Ｂを貫通する孔であってよい。この構成によれば、紐状体１２０を挿通部４１Ｂに通す作業が容易になり、また、所定部位４０Ｂを紐状体１２０から容易に外すことができる。
【００３７】
また、第２変形例では、領域４２に、シール４４が貼られている。シール４４の一面（表面）には、所定の表記がされている。つまり、第２変形例では、印刷ではなくシール４４を貼付することで、所定の表記を領域４２に設けている。要するに、所定の表記は必ずしも印刷によって領域４２に直接設けられていなくてもよい。
【００３８】
また、第２変形例では、包装箱１０Ｂは、図７に示すように、所定部位４０Ｂと所定部位４０Ｂに隣接する部位（第１の蓋３１の所定部位４０Ｂを除く部分３１０）との境界を示す表示部５０Ｂを有する。表示部５０Ｂは、第１の蓋３１の一面に記載された線である。図７では、表示部５０Ｂは点線であるが、二点鎖線や実線であってもよい。要するに、表示部５０Ｂは、所定部位４０Ｂを包装箱１０Ｂから切り離す際の切断場所を示す機能を有していればよい。
【００３９】
２．３  第３変形例
図８は、第３変形例の包装箱１０Ｃを示し、特に、包装箱１０Ｃの所定部位４０Ｃを含む部分を示す。所定部位４０Ｃは、第１の蓋３１の先端部分ではなく中央部分である。ただし、所定部位４０Ｃの一辺４０１は第１の蓋３１の一辺に含まれている。第３変形例では、第１の蓋３１の側壁部２６側の辺の一部が所定部位４０Ｃの一辺４０１となっている。また、所定部位４０Ｃの短手方向（幅方向）は、第１の蓋３１が側壁部２３から突出する方向と一致している
【００４０】
所定部位４０Ｃは、挿通部４１Ｃ及び領域４２を有している。挿通部４１Ｃは、スリット４１１を有するが、通し孔４１２を有していない。また、挿通部４１Ｃのスリット４１１は、導入部分４１１１を有していない。ただし、挿通部４１Ｃのスリット４１１は、導入部分４１１１を有していてもよい。
【００４１】
また、包装箱１０Ｃは、表示部５０Ｃを有している。表示部５０Ｃは、上記実施形態と同様に、所定部位４０Ｃと所定部位４０Ｃに隣接する部位（第１の蓋３１の所定部位４０Ｃを除く部分）との境界を示す。この境界は、所定部位４０Ｃの一辺４０１を除く三辺に対応する。表示部５０Ｃは、この境界に沿って並ぶ複数の点線状の孔５３を含んでいる。これによって、所定部位４０Ｃを包装箱１０Ｃから切り離す作業が容易になる。
【００４２】
２．４  第４変形例
図９は、第４変形例の包装箱１０Ｄを示す。第４変形例の包装箱１０Ｄは所定部位４０Ｄを有し、所定部位４０Ｄは、蓋部３０にある。より詳細には、所定部位４０Ｄは、蓋部３０の第２の蓋３２に設けられている。第２の蓋３２の側片３２２の先端部分（主片３２１とは反対側の部分）が所定部位４０Ｄとなっている。所定部位４０Ｄは、長方形状の部分である。所定部位４０Ｄの短手方向（幅方向）は、側片３２２が主片３２１から突出する方向と一致している。そのため、側壁部２４の長手方向と所定部位４０Ｄの長手方向とは一致している。
【００４３】
所定部位４０Ｄは、上記実施形態と同様に、挿通部４１及び領域４２を有している。挿通部４１は、スリット４１１と、通し孔４１２とを有する。スリット４１１は、所定部位４０Ｄの一辺４０１から（直線状に）延びている。所定部位４０Ｄの一辺４０１は、第２の蓋３２の側片３２２の先端側の辺である。
【００４４】
また、包装箱１０Ｄは、表示部５０Ｄを有している。表示部５０Ｄは、所定部位４０Ｄと所定部位４０Ｄに隣接する部位（第２の蓋３２の所定部位４０Ｄを除く部分）との境界を示す。表示部５０Ｄは、この境界に沿って並ぶ複数の点線状の孔５３を含んでいてよい。
【００４５】
なお、所定部位４０Ｄは、第２の蓋３２の側片３２２ではなく、主片３２１にあってもよい。また、所定部位４０Ｄは、第３の蓋３３にあってもよい。要するに、所定部位４０Ｄは、蓋部３０の任意の場所にあってよい。
【００４６】
２．５  第５変形例
図１０は、第５変形例の包装箱１０Ｅを示す。第５変形例の包装箱１０Ｅは所定部位４０Ｅを有し、所定部位４０Ｅは、本体部２０にある。より詳細には、所定部位４０Ｅは、本体部２０の側壁部２３〜２６の一つ（側壁部２６）に設けられている。側壁部２６の先端側（開口２１側）の中央部分が所定部位４０Ｅとなっている。所定部位４０Ｅは、長方形状であり、その短手方向（幅方向）及び長手方向は側壁部２６の短手方向及び長手方向とそれぞれ一致している。
【００４７】
所定部位４０Ｅは、上記実施形態と同様に、挿通部４１及び領域４２を有している。挿通部４１は、スリット４１１と、通し孔４１２とを有する。スリット４１１は、所定部位４０Ｅの一辺４０１から（直線状に）延びている。所定部位４０Ｅの一辺４０１は、側壁部２６の開口２１側の辺である。
【００４８】
なお、包装箱１０Ｅでは、第２の蓋３２の側片３２２に、切り欠き３２２２が設けられている。切り欠き３２２２は、第２の蓋３２を閉じた状態で、所定部位４０Ｅの挿通部４１と対応する位置にある。切り欠き３２２２は、品物１００の紐状体１２０を挿通部４１に通すために利用され得る。
【００４９】
また、包装箱１０Ｅは、表示部５０Ｅを有している。表示部５０Ｅは、所定部位４０Ｅと所定部位４０Ｅに隣接する部位（側壁部２６の所定部位４０Ｅを除く部分）との境界を示す。この境界は、所定部位４０Ｅの一辺４０１を除く三辺に対応する。表示部５０Ｅは、この境界に沿って並ぶ複数の点線状の孔５３を含んでいてもよい。
【００５０】
なお、所定部位４０Ｅは、本体部２０の側壁部２６ではなく、残りの側壁部２３，２４，２５のいずれかにあってもよい。要するに、所定部位４０Ｅは、本体部２０の任意の場所にあってよい。
【００５１】
２．６  その他の変形例
なお、所定部位（４０；４０Ａ〜４０Ｅ）の形状は、長方形状ではなく、正方形状その他の多角形状、又は円形状であってもよい。また、所定部位（４０；４０Ａ〜４０Ｅ）の形状は、任意の物体に似せた形状であってもよいし、デザイン性を考慮した形状であってもよい。ただし、所定部位（４０；４０Ａ〜４０Ｅ）の形状は、単純な形状であるほうが、包装箱（１０；１０Ａ〜１０Ｅ）からの分離が容易になり易い。
【００５２】
なお、所定部位（４０；４０Ａ〜４０Ｅ）は、包装箱（１０；１０Ａ〜１０Ｅ）の一部位の内側の部位であってもよい。例えば、所定部位は、第１の蓋の中央部分であってもよい。つまり、所定部位は、上記実施形態及び変形例１〜５のように、必ずしも包装箱の一部位と辺を共有していなくてもよい。つまり、所定部位は、包装箱の一部をくりぬくことで分離されてもよい。
【００５３】
なお、所定部位（４０；４０Ａ〜４０Ｅ）は、必ずしも領域４２を有していなくてもよい。言い換えれば、所定部位（４０；４０Ａ〜４０Ｅ）は、必ずしも注意札として利用可能である必要はない。
【００５４】
なお、包装箱は、必ずしも、第１の蓋３１、第２の蓋３２、及び第３の蓋３３の全てを有している必要はない。また、蓋部３０は本体部２０と一体でなくてもよく、別体であってもよい。更には、包装箱は、必ずしも蓋部３０を備えている必要もない。所定部位は、包装箱の一部位であればよく、その場所は特に限定されず、品物の種類や設計上の要求等の様々な要因によって変わり得る。また、包装箱は、複数の所定部位を有していてもよく、これら複数の所定部位の場所も所望の位置としてよい。
【００５５】
なお、上記実施形態では、通し孔４１２は、紐状体１２０の先端部１２２を通す大きさである。しかしながら、通し孔４１２は、紐状体１２０の先端部を通す大きさであってもよい。この場合、所定部位を紐状体１２０から容易に外すことができる。
【００５６】
なお、包装箱（１０，１０Ａ〜１０Ｅ）は、品物１００として住宅用火災警報器を収容する箱に限定されない。包装箱は、住宅用火災警報器以外の品物を収容可能に構成されていてもよい。このような品物は、１以上の紐状体を備えていればよい。紐状体の例としては、人が操作又は把持するための紐（例えば、引き紐や、ストラップ）や、取付け用の紐（例えば、装置を吊り下げるための紐）、電力又は信号の搬送のためのケーブル等がある。そして、品物の例としては、装着型の音響機器（イヤホン及びヘッドホン等）、ケーブル類（電源ケーブル及び信号ケーブル等）、照明器具（シーリングライト及び非常用照明装置等）等が挙げられる。
【００５７】
なお、上記実施形態の包装箱１０は、１つの品物１００を収容するのに適した個装箱である。しかしながら、包装箱１０は、複数の品物１００を収容する大きさの箱（内装箱、外装箱）として利用可能な大きさに形成されていてもよい。
【００５８】
３．態様
以上述べた実施形態及び変形例から明らかなように、第１の態様の包装箱（１０；１０Ａ〜１０Ｅ）は、品物（１００）を収容する包装箱であって、所定部位（４０；４０Ａ〜４０Ｅ）を備える。前記所定部位（４０；４０Ａ〜４０Ｅ）は、前記品物（１００）が備える紐状体（１２０）を通す挿通部（４１；４１Ｂ；４１Ｃ）を有する。第１の態様によれば、品物（１００）を当該品物（１００）の紐状体（１２０）を安定させた状態で収容できる。
【００５９】
第２の態様の包装箱（１０；１０Ａ；１０Ｂ；１０Ｃ；１０Ｄ；１０Ｅ）は、第１の態様との組み合わせにより実現され得る。第２の態様では、前記所定部位（４０；４０Ａ〜４０Ｅ）は、その一面に、所定の表記のための領域（４２）を有している。第２の態様によれば、所定部位（４０；４０Ａ〜４０Ｅ）を何らかの情報を伝える用途にも使用できる。
【００６０】
第３の態様の包装箱（１０；１０Ａ；１０Ｃ〜１０Ｅ）は、第２の態様との組み合わせにより実現され得る。第３の態様では、前記所定の表記は、印刷により前記領域（４２）に設けられている。第３の態様によれば、所定の表記を容易に設けることができる。
【００６１】
第４の態様の包装箱（１０；１０Ａ〜１０Ｄ）は、第１〜第３の態様のいずれか一つとの組み合わせにより実現され得る。第４の態様では、前記包装箱（１０；１０Ａ〜１０Ｄ）は、一面に開口（２１）を有し、内部に前記品物（１００）を収容する箱状の本体部（２０）と、前記本体部（２０）の開口（２１）を塞ぐ蓋部（３０）と、を備える。前記所定部位（４０；４０Ａ〜４０Ｄ）は、前記蓋部（３０）にある。第４の態様によれば、所定部位（４０；４０Ａ〜４０Ｄ）を開口（２１）の近くに配置できる。
【００６２】
第５の態様の包装箱（１０；１０Ａ〜１０Ｃ）は、第４の態様との組み合わせにより実現され得る。第５の態様では、前記蓋部（３０）は、第１の蓋（３１）と、前記第１の蓋（３１）を隠すように前記開口（２１）を塞ぐ第２の蓋（３２）と、を有する。前記所定部位（４０；４０Ａ〜４０Ｃ）は、前記第１の蓋（３１）にある。第５の態様によれば、所定部位（４０；４０Ａ〜４０Ｃ）を外から見えない場所に配置できる。
【００６３】
第６の態様の包装箱（１０；１０Ａ；１０Ｃ〜１０Ｅ）は、第１〜第５の態様のいずれか一つとの組み合わせにより実現され得る。第６の態様では、前記挿通部（４１；４１Ｃ）は、前記所定部位（４０；４０Ａ；４０Ｃ〜４０Ｅ）の一辺（４０１）から延びるスリット（４１１）を含む。第６の態様によれば、紐状体（１２０）を挿通部（４１；４１Ｃ）に通す作業が容易になる。
【００６４】
第７の態様の包装箱（１０；１０Ａ；１０Ｃ〜１０Ｅ）は、第６の態様との組み合わせにより実現され得る。第７の態様では、前記スリット（４１１）は、前記所定部位（４０；４０Ａ；４０Ｃ〜４０Ｅ）の前記一辺（４０１）に近付くにつれて幅が大きくなる部分（４１１１）を有する。第７の態様によれば、紐状体（１２０）を挿通部（４１；４１Ｃ）に通す作業が更に容易になる。
【００６５】
第８の態様の包装箱（１０；１０Ａ；１０Ｄ；１０Ｅ）は、第６又は第７の態様との組み合わせにより実現され得る。第８の態様では、前記挿通部（４１）は、前記所定部位（４０）を貫通し前記紐状体（１２０）を通す通し孔（４１２）を有する。前記スリット（４１１）は、前記所定部位（４０；４０Ａ；４０Ｄ；４０Ｅ）の前記一辺（４０１）から前記通し孔（４１２）まで延びている。第８の態様によれば、紐状体（１２０）をスリット（４１１）ではなく通し孔（４１２）に位置させることで、紐状体（１２０）との接触に起因する所定部位（４０；４０Ａ；４０Ｄ；４０Ｅ）の破損を抑制できる。
【００６６】
第９の態様の包装箱（１０Ｂ）は、第８の態様との組み合わせにより実現され得る。第９の態様では、前記通し孔（４１２）は、前記紐状体（１２０）の先端部（１２２）を通す大きさである。第９の態様によれば、所定部位（４０：４０Ａ；４０Ｄ；４０Ｅ）を紐状体（１２０）から容易に外すことができる。
【００６７】
第１０の態様の包装箱（１０；１０Ａ；１０Ｄ；１０Ｅ）は、第８の態様との組み合わせにより実現され得る。第１０の態様では、前記通し孔（４１２）は、前記紐状体（１２０）の先端部（１２２）を通さない大きさである。第１０の態様によれば、所定部位（４０：４０Ａ；４０Ｄ；４０Ｅ）の紐状体（１２０）からの意図しない脱落を抑制できる。
【００６８】
第１１の態様の包装箱（１０Ｂ）は、第１〜第５の態様のいずれか一つとの組み合わせにより実現され得る。第１１の態様では、前記挿通部（４１Ｂ）は、前記所定部位（４０Ｂ）を貫通し前記紐状体（１２０）を通す通し孔（４１２）を有する。前記通し孔（４１２）は、前記紐状体（１２０）の先端部（１２２）を通す大きさである。第１１の態様によれば、紐状体（１２０）を挿通部（４１Ｂ）に通す作業が容易になり、また、所定部位（４０Ｂ）を紐状体（１２０）から容易に外すことができる。
【００６９】
第１２の態様の包装箱（１０；１０Ａ〜１０Ｅ）は、第１〜第１１の態様のいずれか一つとの組み合わせにより実現され得る。第１２の態様では、前記所定部位（４０；４０Ａ〜４０Ｅ）と前記所定部位（４０；４０Ａ〜４０Ｅ）に隣接する部位（３１０；２６０；３２２０）との境界を示す表示部（５０；５０Ｂ〜５０Ｅ）を有する。第１２の態様によれば、所定部位（４０；４０Ａ〜４０Ｅ）を包装箱（１０；１０Ａ〜１０Ｅ）から切り離す際の切断場所が分かりやすくなる。
【００７０】
第１３の態様の包装箱（１０；１０Ａ；１０Ｃ〜１０Ｅ）は、第１２の態様との組み合わせにより実現され得る。第１３の態様では、前記表示部（５０；５０Ｃ〜５０Ｅ）は、前記境界に沿って並ぶ複数の点線状の孔（５１，５２；５３）を含む。第１３の態様によれば、所定部位（４０；４０Ａ〜４０Ｅ）を包装箱（１０；１０Ａ；１０Ｃ〜１０Ｅ）から切り離す作業が容易に行えるようになる。
【００７１】
第１４の態様の包装箱（１０；１０Ａ；１０Ｃ〜１０Ｅ）は、第１３の態様との組み合わせにより実現され得る。第１４の態様では、前記複数の点線状の孔（５１，５２）は、１以上の第１の孔（５１）と、前記１以上の第１の孔（５１）の次に並ぶ、前記１以上の第１の孔（５１）よりも長い１以上の第２の孔（５２）と、を含む。第１４の態様によれば、所定部位（４０；４０Ａ〜４０Ｅ）を包装箱（１０；１０Ａ；１０Ｃ〜１０Ｅ）から切り離す作業が更に容易に行えるようになる。
【００７２】
第１５の態様の包装物は、第１〜第１４の態様のいずれか一つの包装箱（１０；１０Ａ；１０Ｂ；１０Ｃ；１０Ｄ；１０Ｅ）と、前記包装箱（１０；１０Ａ；１０Ｂ；１０Ｃ；１０Ｄ；１０Ｅ）に収容される前記品物（１００）と、を備える。第１５の態様によれば、品物（１００）を当該品物（１００）の紐状体（１２０）を安定させた状態で収容できる。
【符号の説明】
【００７３】
１０，１０Ａ〜１０Ｅ  包装箱
２０  本体部
２１  開口
３０  蓋部
３１  第１の蓋
３２  第２の蓋
３２１  主片
３２２  側片
３２２１  切り込み
３３  第３の蓋
４０，４０Ａ〜４０Ｅ  所定部位
４０１  一辺
４１  挿通部
４１１  スリット
４１２  通し孔
５０，５０Ａ〜５０Ｅ  表示部
５１  第１の孔
５２  第２の孔
５３  孔
１００  品物
１２０  紐状体
１２１  紐
１２２  摘み（先端部）
２６０  側壁部（所定部位に隣接する部位）
３１０  第１の蓋（所定部位に隣接する部位）
３２２０  側片（所定部位に隣接する部位）
【図１】
2019043625.tif 000003
【図２】
2019043625.tif 000004
【図３】
2019043625.tif 000005
【図４】
2019043625.tif 000006
【図５】
2019043625.tif 000007
【図６】
2019043625.tif 000008
【図７】
2019043625.tif 000009
【図８】
2019043625.tif 000010
【図９】
2019043625.tif 000011
【図１０】
2019043625.tif 000012